(57)【要約】【課題】  本考案は絶縁本体とハウジングを含む電気コネクタを提供する。【解決手段】  絶縁本体は本体と前記本体末端の両端に設置され水平方向に沿って形成されるピボット凹部と前記本体末端の両側頂端にそれぞれ設置される円弧コーナーを含み、その本体は導電端子を複数収納することができる。また、ハウジングは頂壁、前記頂壁の両側にそれぞれ形成される側壁、前記側壁の両側末端にそれぞれ位置し内側に向かって形成されるピボット突起ピン、及びいずれかの前記側壁頂端に設置され前記円弧コーナーに接触するストッパーを含み、ピボット突起ピンはピボット凹部内に位置し、ハウジングをピボット突起ピンのピボット凹部内のシフトにより移動させることができる。これにより、ストッパーの円弧コーナーの回転接触により、ハウジングが絶縁本体に相対し所定の角度範囲まで回転するとき、ハウジングはハウジングの側壁に沿ってシフトする。【選択図】      図３
0003128686.tif 000002
【実用新案登録請求の範囲】
【請求項１】
本体と前記本体末端の両端に設置され水平方向に沿って形成されるピボット凹部と前記本体末端の両側頂端にそれぞれ設置される円弧コーナーを含み、前記本体が導電端子を複数収納する絶縁本体と、
頂壁、前記頂壁の両側にそれぞれ形成される側壁、前記側壁の両側末端にそれぞれ位置し内側に向かって形成されるピボット突起ピン、及びいずれかの前記側壁頂端に設置され前記円弧コーナーに接触するストッパーを含むハウジングを具備し、
そのうち前記ピボット突起ピンは前記ピボット凹部内に位置し、前記ハウジングは前記ピボット突起ピンにより前記ピボット凹部内で前記絶縁本体に対しシフトと回転を行い、前記ストッパーにより前記円弧コーナーの円弧が回転し接触すると前記ハウジングが前記絶縁本体に対して回転するがシフトせず、前記ハウジングが所定の角度範囲まで回転する場合、前記ハウジングは前記絶縁本体とハウジングの頂壁と側壁の貼り合せ面により形成される軸方向に沿ってシフトすることを特徴とする電気コネクタ。
【請求項２】
前記絶縁本体がさらにそれぞれ前記本体両側に設置され前記本体前端と後端に隣接する弾性ボタンセットを含み、各弾性ボタンセットは前記本体に設置される弾性ボタン溝と前記弾性ボタン溝に固着される導電金属板を有し、前記導電金属板は前記弾性ボタン溝に固着される固定部と前記固定部により延伸された半田付け部を有することを特徴とする請求項１に記載の電気コネクタ。
【請求項３】
前記ハウジングはさらに前記側壁にそれぞれ設置され、前記固定部に対して弾性係止を行うのに用いられる弾性ボタン部材と、前記頂壁にそれぞれ設置され前記側壁に隣接し、蓋がされた状態の時に前記固定部と接触させるのに用いられる突起点を含むことを特徴とする請求項2に記載の電気コネクタ。
【請求項４】
前記絶縁本体がさらに前記本体の前端両側近傍にそれぞれ設置される傾斜案内溝を含み、前記傾斜案内溝は前記本体前端から前記本体末端に向かって徐々に本体内に形成される傾斜案内溝であることを特徴とする請求項１に記載の電気コネクタ。
【請求項５】
前記絶縁本体がさらに前記本体の末端両側近傍にそれぞれ設置され前記ピボット凹部とつながっている導入開口部と、前記本体に設置されメモリカードを収納できる収納スペースを含むことを特徴とする請求項１に記載の電気コネクタ。
【請求項６】
前記絶縁本体がさらに前記本体両側にそれぞれ設置される係止部を含み、前記ハウジングはさらに前記側壁底部から内側に向かってそれぞれ形成される係止部材を含み、前記これらの係止部材は前記これらの係止部と対応することにより係止できることを特徴とする請求項１に記載の電気コネクタ。
【考案の詳細な説明】
【技術分野】
【０００１】
本考案は電気コネクタに関わり、特に情報通信製品に用いられる電気コネクタに関わる。
【背景技術】
【０００２】
情報テクノロジー時代の進歩と発展につれて、個人用の情報通信製品（例えば携帯電話やパソコンなど）は広範囲にわたって使用されており、さらに通信ネット技術の発展により、携帯電話はすでに現在最もよく見かける通信用の道具の一つとなった。携帯電話を用いる際、ユーザー識別のために用いられるSIMカードはコネクタの利用によって電子回路と電気的に接続することができる。
【０００３】
図１に従来のコネクタの傾斜概概略図を示す。図から分かるように、コネクタが上蓋６０aと接続点モジュール６２aを含み、そのうち上蓋６０aは金属ハウジング６００aと金属ハウジング６００aの両側に設置されている挟みアーム６０１aを含む。挟みアーム６０１aの一端には係止ボタン６０２aが設けられ、もう一端にはピボットシャフト６０３aが設置されている。接続点モジュール６２aには絶縁本体６２０a及び複数個の導電端子６２１aが含まれている。絶縁本体６２０aの一端には上蓋６０aを係止する固着部６２２aが設けられ、もう一端には挟みアーム６０１aにおけるピボットシャフト６０３aとマッチするピボット孔（図には示していない）が設置されている。これによりSIMカード（図には示していない）が上蓋６０aに差し込まれた後、上蓋６０aを回転し係止ボタン６０２aを接続点モジュール６２aの固着部６２２aで係止させ、SIMカードと電子回路板（図には示していない）を接続させることができる。前記コネクタは係止ボタン６０２aと固着部６２２aの簡単なマッチングにより、上蓋６０aと接続点モジュール６２aの係止を行う。
【考案の開示】
【考案が解決しようとする課題】
【０００４】
しかし、従来のコネクタの係止方式は簡単で係止力が小さいので、衝撃などの外界の影響を受けると、上蓋６０aと接続点モジュール６２aは容易に外れてしまい、SIMカードと導電端子６２１aの接触不良を引き起こすので、情報通信製品設備が日に日に発展している今日、従来のコネクタは明らかに高度情報通信品質のニーズを満足させるものではなく、改善しなければならない。
【０００５】
したがって、本考案人は上記の欠点を改善できると考え、且つ長年この方面に関連する経験に基づいて観察、研究を行い、並びに学理を合わせることにより、設計が合理的で効且つ効果的に上記の欠点を改善することのできる本考案を提出するに至った。
【０００６】
本考案で解決しようとしている問題は、ハウジングに固着部材を設置しそれに合うように絶縁本体に固着構造を設置し、効果的にハウジングを絶縁本体にしっかりと固定し脱落しにくくさせ、構造を安定させる効果を達成し、並びに絶縁本体に弾性ボタン部を設置し、弾性ボタン部に設置された導電金属板と前記固着部材を組み合わせることにより、前記ハウジングを絶縁本体で固着させる以外に、アース効果も達成できる。
【０００７】
このほか、絶縁本体に設置されているピボット凹部とハウジングに設置されているストッパーの係止効果により、前記ハウジングがひっくり返り前記ハウジングの構造が壊れることを防ぎ、また、前記ハウジングに設置されている突起点は、前記ハウジングが前記絶縁本体に固着されているとき、前記突起点と弾性ボタン構造の接触によりさらに完全にアース効果を達成することができる。
【課題を解決するための手段】
【０００８】
上記の目的を達成するために、本考案は絶縁本体とハウジングを含む電気コネクタを提供する。そのうち前記絶縁本体は本体と前記本体末端の両端に設置され水平方向に沿って形成されるピボット凹部と前記本体末端の両側頂端にそれぞれ設置される円弧コーナーを含み、前記本体内には導電端子を複数収納することができる。前記ハウジングは頂壁、前記頂壁の両側にそれぞれ形成される側壁、前記側壁の両側末端にそれぞれ位置し内側に向かって形成されるピボット突起ピン、及びいずれかの前記側壁頂端に設置され前記円弧コーナーに接触するストッパーを含み、そのうち前記ピボット突起ピンは前記ピボット凹部内に位置し、前記ハウジングは前記ピボット突起ピンにより前記ピボット凹部内で前記絶縁本体に対しシフトと回転を行い、前記ストッパーにより前記円弧コーナーの円弧が回転し接触すると前記ハウジングが前記絶縁本体に対して回転するがシフトせず、前記ハウジングが所定の角度範囲まで回転する場合、前記ハウジングは前記絶縁本体とハウジングの頂壁と側壁の貼り合せ面により形成される軸方向に沿ってシフトする。さらに前記ハウジングがひっくり返り前記ハウジングの構造が壊れることを防ぐことができ、また、前記ハウジングに設置されている突起点は、前記ハウジングが前記絶縁本体に固着されているとき、前記突起点と弾性ボタン構造の接触によりさらに完全にアース効果を達成することができる。
【０００９】
さらに本考案が達成しようとしている目的により用いられる技術、手段、効果を理解するために、以下の本考案に関わる詳細な説明と図を示す。これにより本考案の目的、特徴を具体的に理解することができるが、図面は参考と説明のために用いられるものであり、本考案を制限するものではない。
【考案の効果】
【００１０】
以上述べたことをまとめれば、本考案の電気コネクタは絶縁本体１にピボット凹部１１、円弧コーナー１２、弾性ボタンセット１４を設置するもので、且つハウジング２に設置された弾性ボタン２５とストッパー２３の特性を合わせることで、本考案は以下の優れた点を備えることができる。
１．ストッパー２３の作用により、ハウジング２がオープン状態時にひっくり返り前記ハウジングが壊れることはない。
２．ストッパー２３の作用とピボット凹部１１の設計特性により、ハウジング２は蓋をされた状態で係止されていなくても、脱落しにくい。
３．弾性ボタンセット１４の設計は容易く簡単であり、簡単に製造でき、且つ係止とアース効果を容易に達成できる。
４．ピボット凹部１１、ストッパー２３、円弧コーナー１２の簡単な構造設計により、ハウジング２は自由に回転させたり回転を制限できる。
５．ピボット突起ピン２２の直径がピボット凹部１１に合った設計なので、ピボット突起ピン２２の構造強度を大幅に強化することができる。
【考案を実施するための最良の形態】
【００１１】
図２に本考案の電気コネクタの傾斜分解図を示す。図から分かるように、本考案の電気コネクタは絶縁本体１とハウジング２を含む。
【００１２】
絶縁本体１は本体１０と本体１０の末端両端に設置され水平方向に沿って形成されるピボット凹部１１と本体１０の末端両側頂端にそれぞれ設置される円弧コーナー１２を含み、本体１０は導電端子３を複数収納することができる。
【００１３】
ハウジング２は頂壁２０、頂壁２０の両側にそれぞれ形成される側壁２１、側壁２１の両側末端にそれぞれ位置し内側に向かって形成されるピボット突起ピン２２、及びいずれかの側壁２１頂端に設置され円弧コーナー１２に接触するストッパー２３を含む。
【００１４】
また、絶縁本体１はさらに本体１０の両側にそれぞれ設置されている係止部１３と面取り１３１を含み、ハウジング２はそれぞれ側壁２１の底部から内側に向かって形成されている係止部材２４を含み、係止部材２４はそれぞれ係止部１３と対応することにより係止でき、面取り１３１は係止部材２４を正確に導き係止部１３と係止させるのに用いられる。ユーザーがハウジング２を絶縁本体１を覆う際、面取り１３１の導引作用により、誤って蓋をした時、過度に力を加えピボット突起ピン２２が圧迫し、絶縁本体１のピボット凹部１１を損傷させてしまうことはない。このほか、絶縁本体１はさらに本体１０の両側にそれぞれ設置され本体１０前端と後端に隣接する弾性ボタンセット１４を含み、各弾性ボタンセット１４は本体１０に設置される弾性ボタン溝１５と弾性ボタン溝１５に固着される導電金属板１６を有し、導電金属板１６は弾性ボタン溝１５に固着される固定部１６１と固定部１６１により延伸された半田付け部１６２を有する。ハウジング２はさらに側壁２１にそれぞれ設置される弾性ボタン２５を含み、弾性ボタン２５は固定部１６１と弾性係止を行い（弾性ボタン２５の凸状の特徴を利用して固定部１６１の凹部に弾性的にはめ込むことにより係止を行う）、半田付け部１６２は半田方式により電子回路板（図には示していない）に半田付けされる。
【００１５】
さらに、ハウジング２は頂壁２０にそれぞれ設置され各側壁２１に隣接する突起点２６を含み、突起点２６は蓋がされた状態の時に、固定部１６１と接触させるのに用いられ、また半田付け部１６２によりアース効果を達成できる。絶縁本体１はさらに本体１０の両側にそれぞれ設置された傾斜案内溝１７を含み、傾斜案内溝１７は本体１０の前端から本体１０の末端に向かって徐々に本体１０内に形成される傾斜案内溝１７である。このほか、絶縁本体１がさらに本体１０の末端両側近傍にそれぞれ設置されピボット凹部１１とつながっている導入開口部１９を含み、導入開口部１９が組み合わせられている時、ハウジング２のピボット突起ピン２２は導入開口部１９によりピボット凹部１１内に設置される。
【００１６】
これにより、導入開口部１９によりハウジング２を開けて180度回転させる時（すなわち絶縁本体１が一直線の時）ピボット凹部１１内で前後の移動はできず、さらに前記のような係止部材２４により、それぞれ前記のような係止部１３と係止され、弾性ボタン２５と固定部１６１が弾性係止を行うことで効果的にハウジング２を絶縁本体１にしっかりと固着でき脱落しにくくなる。また絶縁本体１にピボット凹部１１を設置し、ハウジング２にストッパー２３を設置することにより、前記ハウジングがひっくり返り前記ハウジングの構造が壊れることを防ぐことができる。
【００１７】
絶縁本体１にはさらに本体１０に設置される収納スペース１８が含まれ、収納スペース１８はメモリカード（図には示していない）（例えば、SMカード、MSカード、Miniカード、Micro-SDカード、或いはT-フラッシュカードなどのメモリカード）を収納するのに用いられる。
【００１８】
図３と図６に本考案の電気コネクタのオープン状態での傾斜図と側面図を示す。図から分かるように、ハウジング２のピボット突起ピン２２（図２）は導入開口部１９(図２)によりピボット凹部１１に設置され絶縁本体１と組み合わせられる。オープン状態では、メモリカード（図には示していない）をハウジング２内に置くことができ、ハウジング２はストッパー２３により円弧コーナー１２の円弧が回転し接触し、ハウジング２が絶縁本体１に対して所定の角度範囲まで回転する場合、ハウジング２は絶縁本体１の貼り合せ面方向に沿ってシフトする。
【００１９】
図４乃至図８に本考案の電気コネクタの蓋をした時の外した状態と係止状態を示す。図から分かるように、ピボット突起ピン２２はピボット凹部１１に位置し、ハウジング２はピボット突起ピン２２がピボット凹部１１内で水平に往復シフトすることにより、絶縁本体１に対して外れた状態（図４と図７のように）と係止状態（図５と図８のように）を示す。そのうちハウジング２が外れた状態（図４と図７のように）の時、係止部材２４は係止部１３を合わせられておらず、弾性ボタン２５が傾斜案内溝１７に位置し、突起点２６と導電金属板１６は接触していない。ハウジング２が係止状態（図５と図８のように）の時、係止部材２４は係止部１３まで移動し係止され、弾性ボタン２５は固定部１６１まで移動し、固定部１６１と弾性係止を行い（弾性ボタン２５の凸状の特徴を利用して固定部１６１の凹部に弾性的にはめ込むことにより係止を行う）、突起点２６と導電金属板１６は接触し、半田付け部１６２を電子回路板（図には示していない）に半田付けする方式によりアース効果を達成させる。
【００２０】
しかし、以上述べたことは、本発明における最良の実施例の詳細な説明と図にすぎず、本発明の特徴はこれだけに限られず、本発明を制限するものではない。本発明のすべての範囲は上記の請求範囲に準じ、本発明の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００２１】
【図１】図１は従来の電気コネクタに係わる傾斜図である。
【図２】図２は本考案の電気コネクタに係わる傾斜分解図である。
【図３】図3は本考案の電気コネクタのオープン状態に係わる傾斜図である。
【図４】図４は本考案の電気コネクタの蓋がされた時の外した状態に係わる傾斜図である。
【図５】図５は本考案の電気コネクタの蓋がされた時の係止状態に係わる傾斜図である。
【図６】図６は本考案の電気コネクタの図３に係わる側面図である。
【図７】図７は本考案の電気コネクタの図４に係わる側面図である。
【図８】図８は本考案の電気コネクタの図５に係わる側面図である。
【符号の説明】
【００２２】
１      絶縁本体
１０    本体
１１    ピボット凹部
１２    円弧コーナー
１３    係止部
１３１  面取り
１４    弾性ボタンセット
１５    弾性ボタン溝
１６    導電金属板
１６１  固定部
１６２  半田付け部
１７    傾斜案内溝
１８    収納スペース
１９    導入開口部
２      ハウジング
２０    頂壁
２１    側壁
２２    ピボット突起ピン
２３    ストッパー
２４    係止部材
２５    弾性ボタン
２６    突起点
３      導電端子
【図１】
0003128686.tif 000003
【図２】
0003128686.tif 000004
【図３】
0003128686.tif 000005
【図４】
0003128686.tif 000006
【図５】
0003128686.tif 000007
【図６】
0003128686.tif 000008
【図７】
0003128686.tif 000009
【図８】
0003128686.tif 000010